(57)【特許請求の範囲】
【請求項１】
容器本体と蓋体とを一端に取り付けたヒンジ部材を介して回動可能に連結し、前記容器本体及び前記蓋体のそれぞれ外面が対向する位置まで回動可能に構成されたコンパクト容器であって、
前記容器本体及び前記蓋体の一辺に設けられた突出部と、前記突出部のそれぞれに設けられた嵌合孔と、前記ヒンジ部材に略平行に設けられた二本の軸体とを有し、
前記二本の軸体は前記嵌合孔の径と略等しい直径に形成すると共に、直径方向に弾性を有するものであって、かつそれらの先端に径の大きい係止部を形成していることを特徴とするディスプレイ用コンパクト容器。
【発明の詳細な説明】
【０００１】
【発明の属する技術分野】
本発明は、蓋体と容器本体とをヒンジ部材を介して連結したコンパクト容器であって、特にそれぞれの外面が背中合わせとなり、容器本体の内部を露出させて展示することができるディスプレイ用コンパクト容器に関するものである。
【０００２】
【従来の技術】
近年、コンパクトを含む化粧品は、商品知識を有する店員との対面による販売方式に加え、顧客が店頭に並べられた商品から自由に選択する、通常の商品と同じ販売方式で売られるようになってきている。後者の販売方式で販売される化粧品は展示された状態で顧客に商品の内容をより正確に知ってもらう必要があるため、特に色味や明度の情報を顧客に正確に示さなければならないアイシャドー等の化粧品においては、コンパクト容器の内側を外から確認できる状態で展示することが求められている。
【０００３】
従来においても実公昭63-40164号公報等により、店頭に展示される際にコンパクト容器の蓋体をほぼ360 度回転させ、容器本体に収容される化粧料の色を外側に見せることができるコンパクト容器が提案されている。このコンパクト容器は、蓋体と容器本体の一辺の中央に形成した連結凹部にブロック状のヒンジ部材を嵌め込み、蓋体とヒンジ部材、容器本体とヒンジ部材との間にそれぞれ軸体を挿通している。
【０００４】
かかる構造により、この従来のコンパクト容器は、蓋体を容器本体に対してほぼ360 度回転させることができ、容器本体の内側を見せるように展示することができる。
【０００５】
【発明が解決しようとする課題】
しかしながら、上記した従来のコンパクト容器は、ヒンジ部材を蓋体と容器本体の連結凹部に嵌め込み、スプリングピンで係合する構造が一般的であるが、この組み立て工程時、作業者はヒンジ部材を所定の位置に維持してスプリングピンを挿入しなければならず、特殊な位置決め治具を用いる必要があるなど、組み立て性に劣っていた。
【０００６】
一方、ヒンジ部材を両側から枢支する構造に代わって、蓋体並びに容器本体に形成した突起部のそれぞれをヒンジ部材に枢着する構造とすることも考えられる。かかる構造によれば、コンパクト容器の組み立ては、蓋体と容器本体とを重ねた上でヒンジ部材を側面から差し込むことにより完了させることができ、製造効率を向上させることができる。
【０００７】
しかしながら、ヒンジ部材を両側からピンを差込んで枢支する従来のコンパクト容器と比べて、かかる構造のコンパクト容器は衝撃が加わるとヒンジ部材が抜ける場合がある。特に蓋体を閉じた状態でバックに入れて持ち歩く際に、ヒンジ部材が外れると、化粧料がバック内で飛散してしまう虞があり、依然、製造効率と耐衝撃性とを兼備するコンパクト容器は提案されていなかった。
【０００８】
そこで、本発明の目的は、製造効率を向上すると共に、ヒンジ部材の脱落を防いで化粧料の飛散事故を確実に防止するディスプレイ用コンパクト容器を提供することにある。
【０００９】
【課題を解決するための手段】
上記課題を解決するために、本発明に係るディスプレイ用コンパクト容器の代表的な構成は、容器本体と蓋体とを一端に取り付けたヒンジ部材を介して回動可能に連結し、前記容器本体及び前記蓋体のそれぞれ外面が対向する位置まで回動可能に構成されたコンパクト容器であって、前記容器本体及び前記蓋体の一辺に設けられた突出部と、前記突出部のそれぞれに設けられた嵌合孔と、前記ヒンジ部材に略平行に設けられた二本の軸体とを有し、前記二本の軸体は前記嵌合孔の径と略等しい直径に形成すると共に、直径方向に弾性を有するものであって、かつそれらの先端に径の大きい係止部を形成していることを特徴とする。
【００１０】
【発明の実施の形態】
本発明に係るディスプレイ用コンパクト容器の一実施形態について、図を用いて説明する。図１は本実施形態に係るコンパクト容器の分解斜視図、図２はヒンジ部の拡大断面図、図３はコンパクト容器の全体斜視図、図４はコンパクト容器の平面断面図、図５はコンパクト容器の側面断面図である。
【００１１】
図１に示すコンパクト容器Ａは、主として合成樹脂製の容器本体１、蓋体２、ヒンジ部材３から構成されている。容器本体１及び蓋体２の一辺には、それぞれ突出部１ａ、２ａが設けられている。突出部１ａ、２ａは図に示すように容器本体１又は蓋体２の一辺を切り欠いた形状となっており、ヒンジ部材３を後述するように取り付けることにより上記一辺が完成されるよう構成されている。これら突出部１ａ、２ａには嵌合孔１ｂ、２ｂが設けられている。この嵌合孔１ｂ、２ｂは図４に示すように内径が多段孔となっており、ヒンジ部材３を取り付ける側の反対側を大径部１ｃとしている。
【００１２】
容器本体１の突出部１ａと反対側には係合爪１ｄが設けられており、一方これに対応して、蓋体２の突出部２ａと反対側には係止爪２ｄが設けられている。係合爪１ｄ及び係止爪２ｄは、蓋体２と容器本体１とを閉じた際には図５に示すように互いに係合し、これらを固定することができる。
【００１３】
ヒンジ部材３には平行に延長された二本の軸体３ａが一体に形成されている。これら２本の軸体３ａの先端はそれぞれスリット３ｂを形成して弾性をもたせてあり、また先端部に外径の大きな係止部３ｃを設けている。
【００１４】
ヒンジ部材３の外面は、容器本体１と蓋体２の突出部１ａ、２ａの外面と連続するように断面が２つの山形を有する形状となっており、ヒンジ部材３を容器本体１と蓋体２に取り付けた際は、これらは意匠的に一体となる。特に、このヒンジ部材３を別部品とすることで、形成色を容器本体１や蓋体２と異ならせることによってワンポイントデザインとしたり、また収納される化粧料Ｋの色や種類を表す識別標識として用いることもできる。
【００１５】
ヒンジ部材３を容器本体１及び蓋体２に取り付ける際には、まず軸体３ａの先端をスリット３ｂによって撓ませ、係止部３ｃを嵌合孔１ｂ、２ｂに挿入することができる。挿入された軸体３ａの係止部３ｃが大径部１ｃに到達すると軸体３ａ先端は弾性によって広がり、図４に示す如く係止部３ｃが大径部１ｃに係止される。すなわち容器本体１、蓋体２およびヒンジ部材３は軸体３ａを嵌合孔１ｂ、２ｂに挿し込むのみによって連結することができ、極めて簡単に組み立てることができ、組立作業を簡素化することができる。
【００１６】
このように組み立てられたコンパクト容器Ａは、容器本体１及び蓋体２がそれぞれ軸体３ａを中心に回動可能な構造となっているため、互いに干渉することなく独立に回動することができ、後述するように蓋体２を容器本体１に対してほぼ３６０度回転させることができる。
【００１７】
また図１及び図２に示すように、ヒンジ部材３と容器本体１には、容器本体１と蓋体２とを閉じた状態において互いに対向する位置に係止突起１ｅ、３ｄが設けられている。これらの係止突起１ｅ、３ｄは互いに当接して相対的な回転を規制するが、所定以上の回転力を加えることにより規制が解除されて回転することができる。
【００１８】
なお、前記したとおり嵌合孔１ｂ、２ｂに挿入された軸体３ａは、その先端がスリット３ｂの弾性によって嵌合孔１ｂ、２ｂの内周面に摩擦係合するために、蓋体２を回動させた際に容器本体１に対して任意の角度でフリーストップさせることができる。
【００１９】
また図５に示すように、容器本体１の中央部には化粧料４を充填する収納凹部１ｆが大きく開口して設けられており、使用の際は化粧料４の上方にパフ５を載置可能としている。また蓋体２の天井面には鏡６が取り付けられており、蓋体２を開いた際の利用に供している。
【００２０】
次に、本実施形態に係るコンパクト容器の作用について説明する。図６は蓋体を360 度開いた状態を示す図、図７はコンパクト容器の動作を説明する図、図８はコンパクト容器の展示状態を示す図である。
【００２１】
まず、コンパクト容器Ａを組み立てる際には、図７に示すように容器本体１と蓋体２とを外面を背中合わせに重ね合わせ、両者の突出部１ａ、２ａを並列させた状態で、その嵌合孔１ｂ、２ｂにヒンジ部材３の軸体３ａを挿入する。すると上記したように、軸体３ａ先端の係止部３ｃが嵌合孔１ｂ、２ｂの大径部１ｃ、２ｃに係合し、容器本体１及び蓋体２を回動可能に連結することができる。
【００２２】
このように展示状態、すなわち化粧料４を露出させた状態にしたコンパクト容器Ａは、図８に示すように展示パッケージ10に収納され、展示パッケージ10ごとフック11に懸下されて店頭に陳列される。この展示パッケージ10は少なくとも正面が透明となったブリスターパックのような容器であって、正面にコンパクト容器Ａの容器本体１が向くように収納することで顧客が化粧料４の表面を確認することができる。これにより顧客に化粧料４の色味、明度等、商品選択にあたって十分な情報を与えることができる。
【００２３】
また従来の構造のコンパクト容器においては蓋体を180 度まで開いた状態で展示することは可能であるが、本実施形態のコンパクト容器Ａにおいては更に蓋体２をほぼ360 度回転させ、蓋体２と容器本体１とを重ねて展示することができる。このため、展示状態とした際に正面の面積を小さくすることができ、限られた展示スペースにより多くの商品を展示することができる。
【００２４】
次に、係るコンパクト容器Ａを購入した使用者は、まず図５に示したように蓋体を容器本体に閉じる。この初めて蓋体を閉じた際に係止突起１ｅ、３ｄが互いを乗り越え、以後蓋体２を開く際には容器本体１とヒンジ部材３との回動を規制することとなる。従って通常の使用に際して蓋体を開いた際にも、図６に示すように従来のコンパクト容器と同様に蓋体２のみが回転し、使用者が化粧料４及び鏡６を利用することができる。
【００２５】
【発明の効果】
以上説明した如く、本発明に係るディスプレイ用コンパクト容器によれば、容器本体と蓋体の突出部に設けた嵌合孔にヒンジ部材の軸体を挿入するのみで簡単に組み立てることができる。これにより組立作業が簡素化されると共に、容器の構成部品の数を減少させることもできるため、組み立て工程並びに部品コストを低く押さえることができる効果を有している。
【００２６】
また、軸体の先端に係止部を形成して脱落を防止するよう構成したことにより、軸体の先端が突出部の反対側に係止してヒンジ部材の脱落を防止する。このため、本発明に係るコンパクト容器を例えばバックに入れて持ち運ぶ際、衝撃に加わってもヒンジ部材が外れてしまうことはなく、以って化粧品の飛散事故を防止することができる。
【図面の簡単な説明】
【図１】本実施形態に係るコンパクト容器の分解斜視図である。
【図２】ヒンジ部材の拡大断面図である。
【図３】コンパクト容器の全体斜視図である。
【図４】コンパクト容器の平面断面図である。
【図５】コンパクト容器の側面断面図である。
【図６】蓋体を360 度開いた状態を示す図である。
【図７】コンパクト容器の動作を説明する図である。
【図８】コンパクト容器の展示状態を示す図である。
【符号の説明】
Ａ    …コンパクト容器
１    …容器本体
２    …蓋体
１ａ、２ａ  …突出部
１ｂ、２ｂ  …嵌合孔
１ｃ、２ｃ  …大径部
１ｄ  …係合爪
１ｅ  …係止突起
１ｆ  …収納凹部
２ｄ  …係止爪
３    …ヒンジ部材
３ａ  …軸体
３ｂ  …スリット
３ｃ  …係止部
３ｄ  …係止突起
４    …化粧料
５    …パフ
６    …鏡
10    …展示パッケージ
11    …フック
【図１】
0003967463.tif 000002
【図２】
0003967463.tif 000003
【図３】
0003967463.tif 000004
【図４】
0003967463.tif 000005
【図５】
0003967463.tif 000006
【図６】
0003967463.tif 000007
【図７】
0003967463.tif 000008
【図８】
0003967463.tif 000009